(57)【要約】【課題】  本発明は、ディスプレイ装置及びディスプレイ装置の駆動方法に関し、例えば有機ＥＬ表示装置等の電流駆動による自発光の表示装置に適用して、ソースフォロワ回路構成により発光素子を電流駆動するトランジスタに対して、ゲートソース間に設けたコンデンサへの電圧の設定により階調を設定する場合に、消費電力を低減し、さらには隣接する画素からの影響を有効に回避することができるようにする。【解決手段】  本発明は、ソースフォロワ回路構成により発光素子１２を電流駆動するトランジスタＴＲ２に対して、ゲートソース間電圧の設定のためにソースを基準電圧に設定する期間、トランジスタＴＲ２を電源Ｖｃｃに接続しないようにする。【選択図】        図１
2005189383.tif 000002
【特許請求の範囲】
【請求項１】
電流駆動による画素をマトリックス状に配置してなる表示部と、前記表示部を駆動しする駆動回路とを有するディスプレイ装置において、
前記画素が、
発光素子と、
ソースフォロワ回路構成により前記発光素子を駆動するトランジスタと、
前記トランジスタのゲートソース間に設けられたコンデンサと、
前記トランジスタへの電源の供給を停止する電源用のスイッチ回路と、
前記トランジスタのソースを基準電圧に接続する基準電圧用のスイッチ回路と、
前記トランジスタのゲートを信号線に接続する信号線用のスイッチ回路とを有し、
前記駆動回路は、
前記電源用のスイッチ回路、前記基準電圧用のスイッチ回路、前記信号線用のスイッチ回路の駆動により、前記信号線の信号レベルを前記コンデンサに設定し、該コンデンサに設定した信号レベルによるゲートソース間電圧により前記トランジスタで前記発光素子を電流駆動し、
前記コンデンサにおける前記信号線への信号レベルの設定において、
前記基準電圧用のスイッチ回路により前記トランジスタのソースを前記基準電圧に接続して、前記信号線用のスイッチ回路により前記トランジスタのゲートを前記信号線に接続して前記コンデンサに前記信号線の電位を設定し、
少なくとも前記基準電圧用のスイッチ回路により前記トランジスタのソースを前記基準電圧に接続している期間、前記電源用のスイッチ回路により前記トランジスタへの電源の供給を停止する
ことを特徴とするディスプレイ装置。
【請求項２】
前記トランジスタ、前記電源用のスイッチ回路、前記基準電圧用のスイッチ回路、前記信号線用のスイッチ回路がｎチャンネルＭＯＳ型のトランジスタにより形成された
ことを特徴とする請求項１に記載のディスプレイ装置。
【請求項３】
電流駆動による画素をマトリックス状に配置してなるディスプレイ装置において、
前記画素が、
発光素子と、
ソースフォロワ回路構成により前記発光素子を駆動するトランジスタと、
前記トランジスタのゲートソース間に設けられたコンデンサと、
前記トランジスタのソースを基準電圧に接続して、前記トランジスタのソース電位を前記基準電圧により設定する基準電圧用のスイッチ回路と、
前記基準電圧用のスイッチ回路により前記トランジスタのソースを前記基準電圧に接続している期間において、前記トランジスタのゲートを信号線に接続して前記コンデンサに前記信号線の信号レベルを設定する信号線用のスイッチ回路と、
少なくとも、前記基準電圧用のスイッチ回路により前記トランジスタのソースを前記基準電圧に接続している期間の間、前記トランジスタへの電源の供給を停止する電源用のスイッチ回路と
を備えることを特徴とするディスプレイ装置。
【請求項４】
電流駆動による画素をマトリックス状に配置してなる表示部を有するディスプレイ装置の駆動方法において、
前記画素が、
発光素子と、
ソースフォロワ回路構成により前記発光素子を駆動するトランジスタと、
前記トランジスタのゲートソース間に設けられたコンデンサと、
前記トランジスタへの電源の供給を停止する電源用のスイッチ回路と、
前記トランジスタのソースを基準電圧に接続する基準電圧用のスイッチ回路と、
前記トランジスタのゲートを信号線に接続する信号線用のスイッチ回路とを有し、
前記ディスプレイ装置の駆動方法は、
前記電源用のスイッチ回路、前記基準電圧用のスイッチ回路、前記信号線用のスイッチ回路の駆動により、前記信号線の信号レベルを前記コンデンサに設定し、該コンデンサに設定した信号レベルによるゲートソース間電圧により前記トランジスタで前記発光素子を電流駆動し、
前記コンデンサにおける前記信号線への信号レベルの設定において、
前記基準電圧用のスイッチ回路により前記トランジスタのソースを前記基準電圧に接続して、前記信号線用のスイッチ回路により前記トランジスタのゲートを前記信号線に接続して前記コンデンサに前記信号線の電位を設定し、
少なくとも前記基準電圧用のスイッチ回路により前記トランジスタのソースを前記基準電圧に接続している期間、前記電源用のスイッチ回路により前記トランジスタへの電源の供給を停止する
ことを特徴とするディスプレイ装置の駆動方法。
【発明の詳細な説明】
【技術分野】
【０００１】
本発明は、ディスプレイ装置及びディスプレイ装置の駆動方法に関し、例えば有機ＥＬ（Electro Luminescence）によるディスプレイ装置等の電流駆動による自発光の表示装置に適用することができる。本発明は、ソースフォロワ回路構成により発光素子を電流駆動するトランジスタに対して、ゲートソース間電圧の設定のためにソースを基準電圧に設定する期間、トランジスタに電源を接続しないようにようにすることにより、ソースフォロワ回路構成により発光素子を電流駆動するトランジスタに対して、ゲートソース間に設けたコンデンサへの電圧の設定により階調を設定する場合に、消費電力を低減し、さらには隣接する画素からの影響を有効に回避することができるようにする。
【背景技術】
【０００２】
従来、有機ＥＬの表示装置においては、例えばＵＳＰ５，６８４，３６５、特開平８−２３４６８３号公報等にディスプレイ装置への応用が種々に提案されるようになされている。
【０００３】
すなわち図５に示すように、この種のディスプレイ装置１において、表示部２は、マトリックス状に配置されてなる画素（ＰＸ）３に対して、走査線ＳＣＮがライン単位で水平方向に設けられ、またこの走査線ＳＣＮと直交するように信号線ＳＩＧが各列毎に垂直方向に設けられる。このようにして形成されてなる表示部２に対して、ディスプレイ装置１は、垂直駆動回路４により走査線ＳＣＮを駆動して順次ライン単位で表示部２の画素３を選択すると共に、この画素３の選択に対応するように水平駆動回路５により信号線ＳＩＧを駆動して各画素３の階調を設定するようになされている。
【０００４】
このため垂直駆動回路４は、ライトスキャン回路（ＷＳＣＮ）４Ａにより、各画素３への書き込みをライン単位で順次指示する書き込み信号ＷＳを生成し、この書き込み信号ＷＳを走査線ＳＣＮに出力して各画素３における階調の設定を制御するようになされている。また水平駆動回路５は、各画素３の階調を指示する階調データＤ１に応じて駆動信号を生成し、この駆動信号を水平セレクタ（ＨＳＥＬ）５Ａにより各信号線ＳＩＧに振り分けて出力し、これらによりディスプレイ装置１は、ライン単位で各画素３の階調を設定するようになされている。
【０００５】
有機ＥＬのディスプレイ装置においては、このようにして駆動される各画素３が、電流駆動による自発光型の素子である有機ＥＬによるＥＬ素子と、このＥＬ素子を駆動する各画素の駆動回路（以下、画素回路と呼ぶ）とにより形成されるようになされている。
【０００６】
しかしてこのようにして形成されるディスプレイ装置においては、ＮチャンネルＭＯＳ型のＴＦＴ（Thin Film Transistor）により各画素回路を形成することにより、アモルファスシリコンのプロセスを適用してＥＬ素子と画素回路とをガラス基板上に一体に形成することができ、これにより図６に示すように、ソースフォロワ回路構成によりＥＬ素子１２を駆動することが考えられる。
【０００７】
すなわちこの図６に示すディスプレイ装置１１は、各画素３において、ＥＬ素子１２のアノードにソースを接続してなるソースフォロワ回路構成のトランジスタＴＲ２によりＥＬ素子１２を電流駆動するように形成され、このトランジスタＴＲ２のゲートに信号レベル保持用のコンデンサＣ１が設けられる。ここでこの信号レベル保持用のコンデンサＣ１は、一端がトランジスタＴＲ２のゲートに接続され、他端が基準電圧に接続され、この図６の例では、この基準電圧が電源電圧Ｖｃｃに設定される。ディスプレイ装置１１は、ライトスキャン４Ａから出力される書き込み信号ＷＳによりオン動作するトランジスタＴＲ１により、この信号レベル保持用のコンデンサＣ１が信号線ＳＩＧに接続され、これにより書き込み信号ＷＳに応動して信号線ＳＩＧに出力される駆動信号の信号レベルによりトランジスタＴＲ２のゲート電圧Ｖｇが設定される。これによりこのディスプレイ装置１１は、このように設定されたゲート電圧Ｖｇに応じた電流によりＥＬ素子１２を駆動し、階調データＤ１に応じた階調により各画素３のＥＬ素子１２を発光させて所望の画像を表示できるようになされている。
【０００８】
しかしながら有機ＥＬにおいては、図７に示すように、使用により電流が流れ難くなる方向に電流電圧特性が変化する。なおこの図７及び図８において、符号Ｌ１が初期の特性を示し、符号Ｌ２が経時変化による特性を示すものである。これに対して図６について上述したソーフフォロワ回路による駆動においては、図８に示すように、トランジスタＴＲ２のドレインソース間電圧Ｖｄｓ−ソースドレイン電流Ｉｄｓの特性曲線に対して、負荷による特性曲線が交差してなる交点が動作点となる。これにより有機ＥＬにおいて、電圧電流特性が変化すると、その分、ＥＬ素子に流れる電流が減少し、これらにより各画素の輝度が徐々に低下する問題がある。
【０００９】
この問題を解決する１つの方法として、このようなゲート電圧Ｖｇによる階調の設定に代えてゲートソース間電圧Ｖｇｓによる階調の設定によりＥＬ素子の駆動電流を制御する方法が考えられる。すなわちＴＦＴのドレイン電流Ｉｄｓにおいては、（１／２）×μ×（Ｗ／Ｌ）Ｃｏｘ（Ｖｇｓ−Ｖｔｈ）２ により表され、これによりゲートソース間電圧Ｖｇｓによる階調の設定により経時変化による駆動電流の変化を防止することができる。ここでμはキャリアの移動度、Ｗはゲート幅、Ｌはゲート長、Ｃｏｘは単位面積当たりのゲート容量、Ｖｔｈはしきい値電圧である。
【００１０】
このため図６との対比により図９に示すように、各画素２２において、トランジスタＴＲ２のゲートに対する信号レベル保持用のコンデンサＣ１の配置に代えて、このトランジスタＴＲ２のゲートソース間に信号レベル保持用のコンデンサＣ２を配置し、この信号レベル保持用のコンデンサＣ２に信号線ＳＩＧの信号レベルを設定する。またドライブスキャン信号ｄｓによりオン動作するトランジスタＴＲ３をトランジスタＴＲ２のソースに接続し、信号レベル保持用のコンデンサＣ２に信号線ＳＩＧの信号レベルを設定する期間の間、このトランジスタＴＲ３によりトランジスタＴＲ２のソース電位を一定電位に設定する。なお図９においては、この一定電位がアース電位の場合である。またこのような画素２２による表示部２３の構成に対応して、垂直駆動回路２４においては、ライトスキャン回路２４Ａに加えて、このライトスキャン回路２４Ａによる書き込み信号ＷＳの出力に同期してドライブスキャン信号ｄｓを出力するドライブスキャン回路（ＤＳＣＮ）２４Ｂを設ける。また水平駆動回路２５においては、これらの構成に対応するように駆動信号を生成する。
【００１１】
しかして実際上、図１０（Ａ）〜（Ｄ）に示すように、トランジスタＴＲ３をオン状態に切り換えると、トランジスタＴＲ２のソース電位においては、除々に電圧が立ち下がる。これによりこの場合、書き込み信号ＷＳによるコンデンサＣ２への信号線ＳＩＧの信号レベルの設定に先行して、ドライブスキャン信号ｄｓによりトランジスタＴＲ３をオン動作させ、トランジスタＴＲ２（ＴＲ１）のソース電圧Ｖｓが立ち下がって十分に一定の電位となった後、書き込み信号ＷＳによりトランジスタＴＲ３をオン動作させ、信号レベル保持用のコンデンサＣ２に信号線ＳＩＧの信号レベルＶｉｎを設定する。またその後、書き込み信号ＷＳを立ち下げてトランジスタＴＲ２をオフ状態に設定した後、ドライブスキャン信号ｄｓを立ち下げる。これによりこのソースフォロワ回路においては、ソース電圧Ｖｓが立ち上がって信号レベル保持用のコンデンサＣ２に設定された信号レベルＶｉｎに応じた電流駆動によりＥＬ素子１２が発光を開始する。なお図１１（Ａ）〜（Ｄ）は、図１０の各期間Ｔ１〜Ｔ４に対応するトランジスタＴＲ２、ＴＲ３の設定を示す接続図である。
【００１２】
このようにしてゲート電圧Ｖｇによる階調の設定に代えてゲートソース間電圧Ｖｇｓによる階調の設定によりＥＬ素子１２の駆動電流を制御すれば、ＥＬ素子１２の特性が変化した場合であっても、階調データＤ１により決まる一定電流によりＥＬ素子１２を駆動し得、これにより経時変化による画質劣化を有効に回避することができる。
【００１３】
しかしながらこの図９に示す構成においては、ドライブスキャン信号ｄｓによりトランジスタＴＲ３をオン動作させている期間Ｔ２、Ｔ３、Ｔ４の間、トランジスタＴＲ２、トランジスタＴＲ３に電源ＶＣＣから貫通電流が流れ続けることになる。これにより消費電力が増大する問題がある。
【００１４】
またこのような期間Ｔ２、Ｔ３、Ｔ４においては、書き込み信号ＷＳにより信号レベル保持用のコンデンサＣ２に信号線ＳＩＧの信号レベルを設定する期間Ｔ３に比して広くすることが必要なことにより、複数ラインでこれらの期間Ｔ２、Ｔ３、Ｔ４が重なり合い、これにより隣接する画素の影響が現れる。具体的には、図１２に示すように、トランジスタＴＲ３のソース電位を設定する配線パターンにおいて、これら期間Ｔ２〜Ｔ４が重なり合ってなる画素回路の電流が流れることにより、またこの配線パターンにおいては、ある程度の抵抗値を有することにより、例えば表示部２３の上下でこれらの配線パターンを接地する場合には、垂直方向の画面中央側の画素程、トランジスタＴＲ３のソース電位が上昇し、その分、信号レベル保持用のコンデンサＣ２の両端電圧が低下し、これにより図１３に示すように、中央側で明るさが低下してなるようなシェーディングが発生する。
【００１５】
また図１４に示すように、周囲を中間階調に設定し、中央に低階調の領域を形成した場合、この低階調の領域の下側に、階調の高い領域が形成され、いわゆる縦方向のクロストークが発生する。
【特許文献１】ＵＳＰ５，６８４，３６５
【特許文献２】特開平８−２３４６８３号
【発明の開示】
【発明が解決しようとする課題】
【００１６】
本発明は以上の点を考慮してなされたもので、ソースフォロワ回路構成により発光素子を電流駆動するトランジスタに対して、ゲートソース間に設けたコンデンサへの電圧の設定により階調を設定する場合に、消費電力を低減し、さらには隣接する画素からの影響を有効に回避することができるディスプレイ装置、ディスプレイ装置の駆動方法を提案しようとするものである。
【課題を解決するための手段】
【００１７】
かかる課題を解決するため請求項１の発明においては、電流駆動による画素をマトリックス状に配置してなる表示部と、表示部を駆動して画素の階調を設定する駆動回路とを有するディスプレイ装置に適用して、画素が、発光素子と、ソースフォロワ回路構成により発光素子を駆動するトランジスタと、トランジスタのゲートソース間に設けられたコンデンサと、トランジスタへの電源の供給を停止する電源用のスイッチ回路と、トランジスタのソースを基準電圧に接続する基準電圧用のスイッチ回路と、トランジスタのゲートを信号線に接続する信号線用のスイッチ回路とを有し、駆動回路は、電源用のスイッチ回路、基準電圧用のスイッチ回路、信号線用のスイッチ回路の駆動により、信号線の信号レベルをコンデンサに設定し、該コンデンサに設定した信号レベルによるゲートソース間電圧によりトランジスタで発光素子を電流駆動し、コンデンサにおける信号線の信号レベルの設定において、基準電圧用のスイッチ回路によりトランジスタのソースを基準電圧に接続して、信号線用のスイッチ回路によりトランジスタのゲートを信号線に接続してコンデンサに信号線の電位を設定し、少なくとも基準電圧用のスイッチ回路によりトランジスタのソースを基準電圧に接続している期間、電源用のスイッチ回路によりトランジスタへの電源の供給を停止する。
【００１８】
また請求項３の発明においては、電流駆動による画素をマトリックス状に配置してなる表示部を有するディスプレイ装置に適用して、画素が、発光素子と、ソースフォロワ回路構成により発光素子を駆動するトランジスタと、トランジスタのゲートソース間に設けられたコンデンサと、トランジスタのソースを基準電圧に接続して、トランジスタのソース電位を基準電圧により設定する基準電圧用のスイッチ回路と、基準電圧用のスイッチ回路によりトランジスタのソースを基準電圧に接続している期間において、トランジスタのゲートを信号線に接続してコンデンサに信号線の信号レベルを設定する信号線用のスイッチ回路と、少なくとも、基準電圧用のスイッチ回路によりトランジスタのソースを基準電圧に接続している期間の間、トランジスタへの電源の供給を停止する電源用のスイッチ回路とを備えるようにする。
【００１９】
また請求項４の発明においては、電流駆動による画素をマトリックス状に配置してなる表示部を有するディスプレイ装置の駆動方法に適用して、画素が、発光素子と、ソースフォロワ回路構成により画素の発光素子を駆動するトランジスタと、トランジスタのゲートソース間に設けられたコンデンサと、トランジスタへの電源の供給を停止する電源用のスイッチ回路と、トランジスタのソースを基準電圧に接続する基準電圧用のスイッチ回路と、トランジスタのゲートを信号線に接続する信号線用のスイッチ回路とを有し、ディスプレイ装置の駆動方法は、電源用のスイッチ回路、基準電圧用のスイッチ回路、信号線用のスイッチ回路の駆動により、信号線の信号レベルをコンデンサに設定し、該コンデンサに設定した信号レベルによるゲートソース間電圧によりトランジスタで発光素子を電流駆動し、コンデンサにおける信号線の信号レベルの設定において、基準電圧用のスイッチ回路によりトランジスタのソースを基準電圧に接続して、信号線用のスイッチ回路によりトランジスタのゲートを信号線に接続してコンデンサに信号線の電位を設定し、少なくとも基準電圧用のスイッチ回路によりトランジスタのソースを基準電圧に接続している期間、電源用のスイッチ回路によりトランジスタへの電源の供給を停止する。
【００２０】
請求項１の構成により、電源用のスイッチ回路、基準電圧用のスイッチ回路、信号線用のスイッチ回路の駆動により、信号線の信号レベルをコンデンサに設定し、該コンデンサに設定した信号レベルによるゲートソース間電圧によりトランジスタで発光素子を電流駆動し、コンデンサにおける信号線の信号レベルの設定において、基準電圧用のスイッチ回路によりトランジスタのソースを基準電圧に接続して、信号線用のスイッチ回路によりトランジスタのゲートを信号線に接続してコンデンサに信号線の電位を設定するようにすれば、ソースフォロワ回路構成による発光素子の駆動において、この発光素子の特性が変化した場合でも、この特性の変化による駆動電流の変化を防止することができる。このとき少なくとも基準電圧用のスイッチ回路によりトランジスタのソースを基準電圧に接続している期間、電源用のスイッチ回路によりトランジスタへの電源の供給を停止すれば、基準電圧用のスイッチ回路によりトランジスタのソースを基準電圧に接続した場合であっても、このトランジスタにあっては電流が流れないようにすることができ、その分、消費電力を少なくすることができる。またこのように電流が流れないことにより、表示部の各部において、基準電圧が変化しないようにし得、これによりこの基準電圧の変化による隣接する画素からの影響を有効に回避して、縦方向のシェーディング、クロストーク等を防止することができる。
【００２１】
これにより請求項３、請求項４の構成によれば、消費電力を低減し、さらには隣接する画素からの影響を有効に回避することができるディスプレイ装置、ディスプレイ装置の駆動方法を提供することができる。
【発明の効果】
【００２２】
本発明によれば、ソースフォロワ回路構成により発光素子を電流駆動するトランジスタに対して、ゲートソース間に設けたコンデンサへの電圧の設定により階調を設定する場合に、消費電力を低減し、さらには隣接する画素からの影響を有効に回避することができる。
【発明を実施するための最良の形態】
【００２３】
以下、適宜図面を参照しながら本発明の実施例を詳述する。
【実施例１】
【００２４】
（１）実施例の構成
図２は、図５、図９との対比により本発明の実施例に係るディスプレイ装置を示すブロック図である。このディスプレイ装置３１において、表示部３２は、電流駆動による画素（ＰＸ）３３をマトリックス状に配置され、この画素３３に対して、３つの走査線ＳＣＮ、ＳＣＮ１、ＳＣＮ２がライン単位で水平方向に設けられる。またこれらの走査線ＳＣＮ、ＳＣＮ１、ＳＣＮ２と直交するように信号線ＳＩＧが各列毎に垂直方向に設けられる。このようにして形成されてなる表示部２に対して、ディスプレイ装置３１は、垂直駆動回路３４により走査線ＳＣＮ、ＳＣＮ１、ＳＣＮ２を駆動して順次ライン単位で画素３３に設けられた画素回路の動作を制御すると共に、この画素回路の制御に対応するように水平駆動回路２５により信号線ＳＩＧを駆動して各画素３３の階調を設定するようになされている。
【００２５】
このため垂直駆動回路３４は、ライトスキャン回路（ＷＳＣＮ）３４Ａにより、各画素３３への書き込みをライン単位で順次指示する書き込み信号ＷＳを生成し、この書き込み信号ＷＳを走査線ＳＣＮに出力して各画素３３における階調の設定を制御するようになされている。またこのライトスキャン回路３４Ａによる書き込み信号ＷＳの出力に同期してドライブスキャン信号ｄｓ１、ｄｓ２をそれぞれ出力するドライブスキャン回路（ＤＳＣＮ）３４Ｂ、ドライブスキャン回路（ＤＳＣＮ２）３４Ｃが設けられるようになされている。
【００２６】
また水平駆動回路３５においては、各画素３３の階調を指示する階調データＤ１に応じて駆動信号を生成し、この駆動信号を水平セレクタ（ＨＳＥＬ）３５Ａにより各信号線ＳＩＧに振り分けて出力するようになされている。
【００２７】
図１は、図９との対比によりこのディスプレイ装置１に係る各画素３３を示す接続図である。このディスプレイ装置１に係る画素３３においては、図９を用いて説明した画素２２の構成において、トランジスタＴＲ２のドレインと電源ＶＣＣとの間に、トランジスタＴＲ４が設けられる。このディスプレイ装置３１は、このトランジスタＴＲ４の制御によりトランジスタＴＲ２への電源の供給が停止されてＥＬ素子１２の発光が停止され、トランジスタＴＲ２のゲートソース間電圧を信号線ＳＩＧにより設定する期間の間、トランジスタＴＲ２に電流が流れないように設定される。これによりこの実施例では、消費電力を低減し、さらには垂直方向に隣接する画素による各種の影響を防止するようになされている。なお画素３３を構成するトランジスタＴＲ１〜ＴＲ４は、ＮチャンネルＭＯＳ型のＴＦＴであり、水平駆動回路３５、垂直駆動回路３４と共にガラス基板上に、アモルファスプロセスにより一体に形成されるようになされている。
【００２８】
すなわち図３に示すように、垂直駆動回路３４においては、ライトスキャン回路３４Ａにより、階調データＤ１による１フレーム（１ｆ）において、水平走査期間（１Ｈ）単位で順次走査線ＳＣＮの書き込み信号ＷＳを立ち上げ（図３（Ａ））、これにより対応するラインの画素回路において、トランジスタＴＲ１をオン状態に設定してトランジスタＴＲ２のゲートソースに設けられているコンデンサＣ２に信号線ＳＩＧの電圧Ｖｉｎを設定する。これによりディスプレイ装置１では、トランジスタＴＲ２が、ソースフォロワ回路構成により画素３３の発光素子１２を駆動するトランジスタを構成し、トランジスタＴＲ１が、このトランジスタＴＲ２のゲートを信号線ＳＩＧに接続してコンデンサＣ２に信号線ＳＩＧの信号レベルを設定する信号線用のスイッチ回路を構成するようになされている。
【００２９】
このようにしてコンデンサＣ２に信号線ＳＩＧの信号レベルを設定する際に、垂直駆動回路３４は、ドライブスキャン回路３４Ｂよりドライブスキャン信号ｄｓ１を立ち上げ（図３（Ｂ））、これによりトランジスタＴＲ２のソースを基準電圧に接続する。なおここでこのディスプレイ装置３１では、この基準電位がアース電位に設定される。これによりディスプレイ装置３１では、いわゆるブートスラップ回路により、信号線ＳＩＧの信号レベルをコンデンサＣ２に確実に設定するようになされている。これによりトランジスタＴＲ３は、トランジスタＴＲ２のソースを基準電圧に接続して、トランジスタＴＲ２のソース電位を基準電圧により設定する基準電圧用のスイッチ回路を構成するようになされている。
【００３０】
垂直駆動回路３４は、これら書き込み信号ＷＳ、ドライブスキャン信号ｄｓ１に対して、ドライブスキャン信号ｄｓ１より先行してドライブスキャン回路３４Ｂよりドライブスキャン信号ｄｓ２を立ち上げ（図３（Ｃ））、これら書き込み信号ＷＳ、ドライブスキャン信号ｄｓ１が立ち上がっている期間の間、トランジスタＴＲ４をオフ状態に設定し、これにより少なくとも基準電圧用のスイッチ回路によりトランジスタＴＲ２のソースを基準電圧に接続している期間においては、トランジスタＴＲ２のドレインを電源ＶＣＣから切り離すようになされている。
【００３１】
これにより各画素回路は、１フィールドの所定の期間ＴＡにおいて、図４（Ａ）に示すように、トランジスタＴＲ１、ＴＲ３がオフ状態に設定され、またトランジスタＴＲ４がオン状態に設定され、コンデンサＣ２に設定されてなる信号線ＳＩＧの電圧Ｖｉｎによるゲートソース間電圧Ｖｇｓに応じた電流ＩｄｓによりトランジスタＴＲ２でＥＬ素子１２を電流駆動するようになされている。またこの状態でドライブスキャン回路３４Ｃよりドライブスキャン信号ｄｓ２が立ち上げられると、図４（Ｂ）に示すように、トランジスタＴＲ２への電源ＶＣＣの供給が停止され、図３において期間ＴＢにより示すように、トランジスタＴＲ２のソース電圧Ｖｓ（図３（Ｄ））においては、ＥＬ素子１２の電流特性により流れる電流により徐々に低下し、このソース電圧Ｖｓの低下に伴ってトランジスタＴＲ２のゲート電圧Ｖｇ（図３（Ｅ））も徐々に低下し、トランジスタＴＲ２のソース電圧ＶｓがＥＬ素子１２のしきい値電圧Ｖｔｈになると、これらソース電圧Ｖｓ、ゲート電圧Ｖｇの低下が停止することになる。
【００３２】
この実施例では、このようにトランジスタＴＲ２のソース電圧ＶｓがＥＬ素子１２のしきい値電圧Ｖｔｈとほぼ一致してなる時点で、ドライブスキャン回路３４Ｂよりドライブスキャン信号ｄｓ１が立ち上げられ、これにより図４（Ｃ）に示すようにトランジスタＴＲ３がオン状態に設定されてトランジスタＴＲ２のソース電圧Ｖｓがアース電位に立ち下げられる（図３における期間ＴＣ）。
【００３３】
またこのようにしてソース電圧Ｖｓをアース電位に設定した状態で、書き込み信号ＷＳが立ち上げられ、図４（Ｄ）に示すように、トランジスタＴＲ１がオン状態に設定され、これにより信号線ＳＩＧの電位ＶｉｎがコンデンサＣ２に設定される（図３における期間ＴＤ）。その後、画素３３においては、書き込み信号ＷＳが立ち上げられて、図４（Ｅ）に示すように、トランジスタＴＲ１がオフ状態に戻され（図３における期間ＴＥ）、また続いてドライブスキャン信号ｄｓ１、ｄｓ２が順次立ち上げられ、これにより図４（Ｆ）に示すように、元の状態に戻され、電源ＶＣＣによりトランジスタＴＲ２が、動作してＥＬ素子１２の駆動を開始する。
【００３４】
これによりトランジスタＴＲ２においては、コンデンサＣ２に設定されてなるゲートソース間電圧Ｖｇｓの差分を保ったままゲート電圧Ｖｇ、ソース電圧Ｖｓが徐々に立ち上がり、この立ち上がりによりＥＬ素子１２が発光を開始する。またコンデンサＣ２に設定されてなるゲートソース間電圧Ｖｇｓに対応する電圧にまでソース電圧Ｖｓが立ち上がると、ゲート電圧Ｖｇ、ソース電圧Ｖｓの変化が停止し、この状態でゲートソース間電圧Ｖｇｓに対応する駆動電流ＩｄｓによりＥＬ素子１２を駆動する。
【００３５】
（２）実施例の動作
以上の構成において、このディスプレイ装置３１は（図２）、垂直駆動回路３４による走査線ＳＣＮ、ＳＣＮ１、ＳＣＮ２の駆動により順次ライン単位で表示部３２の画素３３が選択され、またこの画素３３の選択により水平駆動回路３５により駆動される信号線ＳＩＧの信号レベルが各画素３３に設定される。ディスプレイ装置３１は、この各画素３３に設定した信号レベルにより各画素３３が発光して所望の画像が表示される。
【００３６】
ディスプレイ装置３１では（図１、図３、図４）、各画素３３において、ＥＬ素子１２を駆動するソースフォロワ回路構成のトランジスタＴＲ２のゲートソースにコンデンサＣ２が設けられ、トランジスタＴＲ３によるスイッチ回路によりこのトランジスタＴＲ２のソースを基準電圧であるアース電位に設定した状態で、トランジスタＴＲ１によるスイッチ回路によりトランジスタＴＲ２のゲートを信号線ＳＩＧに接続することにより、このような信号線ＳＩＧの信号レベルが各画素３３に設定される。
【００３７】
これによりこのディスプレイ装置３１では、ＥＬ素子１２の特性が経時変化した場合でも、階調データＤ１に応じた電流駆動によりＥＬ素子１２を駆動することができる。また画素回路をｎチャンネルＭＯＳ型によるＴＦＴトランジスタにより構成して、ソースフォロワ回路構成によるＥＬ素子１２を電流駆動して、このような駆動を実現することができる。
【００３８】
しかしながら何ら対策を講じない場合には、各画素３３において、トランジスタＴＲ２、ＴＲ３を介して電流が流れ続け、その分、無駄に電力を消費して消費電力が増大することになる。またこの電流による基準電圧の変化により垂直方向に隣接する画素による影響が発生し、縦シェーディング、クロストークが発生する。
【００３９】
このためこの実施例においては、トランジスタＴＲ２のドレインと電源ＶＣＣとの間にトランジスタＴＲ４が設けられ、少なくともトランジスタＴＲ３によりトランジスタＴＲ２のソースを基準電圧に接続している期間の間、このトランジスタＴＲ４によりトランジスタＴＲ２への電源ＶＣＣの供給が停止される。これによりトランジスタＴＲ２、ＴＲ３を介して電源ＶＣＣから電流が流れないようにし得、このような電流が流れ続けてなることによる消費電力の増大が防止される。またこのような電流による垂直方向に隣接する画素による影響を防止して縦シェーディング、クロストークを防止し、ユニフォーミティの高い画質を得ることができる。
【００４０】
この実施例では、トランジスタＴＲ４によりトランジスタＴＲ２への電源ＶＣＣの供給を停止した後、トランジスタＴＲ２のソース電圧Ｖｓが十分に立ち下がって、信号線ＳＩＧによる電位ＶｉｎをコンデンサＣ２に設定するように、トランジスタＴＲ１、ＴＲ３の動作が切り換えられ、これによりＥＬ素子１２の発光、非発光の期間においては、このトランジスタＴＲ４のオンオフ制御により実行されて、この非発光の期間における消費電力を格段的に小さくすることができる。これにより簡易な制御により発光、非発光の期間を制御して消費電力を低減することもできる。
【００４１】
またこのようにして完全にトランジスタＴＲ２のソース電圧Ｖｓが立ち下げられてコンデンサＣ２が信号線ＳＩＧの電圧Ｖｉｎにより設定されることにより、ＥＬ素子１２に殆ど電流を流さないような階調の場合、すなわち黒の階調によりＥＬ素子１２を駆動する場合に、確実に画素の階調を黒レベルに設定し得、これにより高品位の画像を提供することができる。
【００４２】
（３）実施例の効果
以上の構成によれば、ソースフォロワ回路構成により発光素子を電流駆動するトランジスタに対して、ゲートソース間電圧の設定のためにソースを基準電圧に設定する期間、トランジスタを電源ＶＣＣに接続しないようにすることにより、ソースフォロワ回路構成により発光素子を電流駆動するトランジスタに対して、ゲートソース間に設けたコンデンサへの電圧の設定により階調を設定する場合に、消費電力を低減し、さらには隣接する画素からの影響を有効に回避することができる。
【実施例２】
【００４３】
なお上述の実施例においては、ゲートソース間電圧の設定のためにソースを基準電圧に設定する期間の前後を含む期間について、トランジスタＴＲ４によりトランジスタＴＲ２への電源ＶＣＣの供給を停止する場合について述べたが、本発明はこれに限らず、ソースを基準電圧に設定する期間の間だけ、トランジスタＴＲ４によりトランジスタＴＲ２への電源ＶＣＣの供給を停止するようにしてもよく、さらにはこの期間の一部期間だけ、トランジスタＴＲ４によりトランジスタＴＲ２への電源ＶＣＣの供給を停止するようにしてもよい。このようにしてもその分、消費電力を低減し得、また隣接画素の影響を回避することができる。
【００４４】
また上述の実施例においては、ライン単位で画素を駆動する場合に、垂直方向に基準電圧用の配線パターンを設けることを前提に、トランジスタＴＲ２への電源ＶＣＣの供給を停止する場合について述べたが、本発明はこれに限らず、水平方向に基準電圧用の配線パターンを設ける場合にも広く適用することができる。
【００４５】
また上述の実施例においては、アモルファスシリコンのプロセスを適用してＥＬ素子と画素回路とをガラス基板上に一体に形成する場合について述べたが、本発明はこれに限らず、ポリシリコンによりトランジスタを作成する場合、さらには表示部と別体にシリコン基板により駆動回路と作成して表示部と接続、一体化する場合等にも広く適用することができる。
【００４６】
また上述の実施例においては、有機ＥＬによる発光素子を電流駆動する場合について述べたが、本発明はこれに限らず、電流駆動に係る種々の発光素子によるディスプレイ装置に広く適用することができる。
【産業上の利用可能性】
【００４７】
本発明は、ディスプレイ装置及びディスプレイ装置の駆動方法に関し、例えば有機ＥＬ表示装置等の電流駆動による自発光の表示装置に適用することができる。
【図面の簡単な説明】
【００４８】
【図１】本発明の実施例に係るディスプレイ装置の画素回路を周辺構成と共に示す接続図である。
【図２】図１の画素回路によるディスプレイ装置を示すブロック図である。
【図３】図１の画素回路の動作の説明に供するタイムチャートである。
【図４】図３のタイムチャートの説明に供する接続図である。
【図５】ディスプレイ装置の構成を示すブロック図である。
【図６】図５のディスプレイ装置の画素回路を周辺構成と共に示す接続図である。
【図７】有機ＥＬ素子の特性を示す特性曲線図である。
【図８】有機ＥＬ素子の動作点の変化の説明に供する特性曲線図である。
【図９】ソースフォロワ回路構成による画素回路を周辺構成と共に示す接続図である。
【図１０】図９の画素回路の動作の説明に供するタイムチャートである。
【図１１】図１０のタイムチャートの説明に供する接続図である。
【図１２】基準電圧の変動の説明に供する略線図である。
【図１３】縦シェーディングを示す略線図である。
【図１４】クロストークを示す略線図である。
【符号の説明】
【００４９】
１、１１、２１、３１……ディスプレイ装置、２、２３、３２……表示部、３、２２、３３……画素、４、２４、３４……垂直駆動回路、４Ａ、２４Ａ、３４Ａ……ライトスキャン回路、５、２５、３５……水平駆動回路、１２……ＥＬ素子２４Ｂ、３４Ｂ、３４Ｃ……ドライブスキャン回路、２５Ａ、３５Ａ……水平セレクタ、Ｃ１、Ｃ２……コンデンサ、ＴＲ１〜ＴＲ４……トランジスタ
【図１】
2005189383.tif 000003
【図２】
2005189383.tif 000004
【図３】
2005189383.tif 000005
【図４】
2005189383.tif 000006
【図５】
2005189383.tif 000007
【図６】
2005189383.tif 000008
【図７】
2005189383.tif 000009
【図８】
2005189383.tif 000010
【図９】
2005189383.tif 000011
【図１０】
2005189383.tif 000012
【図１１】
2005189383.tif 000013
【図１２】
2005189383.tif 000014
【図１３】
2005189383.tif 000015
【図１４】
2005189383.tif 000016